(57)【特許請求の範囲】
【請求項１】
親機と、前記親機と無線で接続される子機とを備えた電話装置において、
前記親機は、所定の音声情報を予め記憶する記憶手段と、
前記所定の音声情報を再生して子機に送信する送信手段とを有し、
前記子機は、前記親機に対して擬似通話モードを設定するように指示する擬似通話指示手段を有し、
前記親機は、前記子機から擬似通話モードを設定するように指示された場合には、前記所定の音声情報を外部から受信した音声情報として該子機に送信することを特徴とする電話装置。
【請求項２】
親機と、前記親機と無線で接続される子機とを備えた電話装置において、
前記親機は、前記子機から受信した音声情報を録音する録音手段と、
前記録音手段に録音された音声情報を再生して該子機に送信する送信手段とを有し、
前記子機は、前記親機に対して擬似通話モードを設定するように指示する擬似通話指示手段を有し、
前記親機は、前記子機から擬似通話モードを設定するように指示された場合には、該子機からの音声情報を受信して録音後、この録音した音声情報を再生して該子機に送信することを特徴とする電話装置。
【請求項３】
前記親機は、前記子機から擬似通話モードを設定するように指示された場合には、該指示を受けてから予め設定された所定時間内に限り該子機から受信した音声情報を録音することを特徴とする請求項２に記載の電話装置。
【請求項４】
親機と、前記親機と無線で接続される子機とを備えた電話装置において、
前記親機は、
所定のテストデータを予め記憶する第１記憶手段と、
前記子機から受信した受信データと前記所定のテストデータとを比較する第１比較手段と、
前記第１比較手段による比較結果を第１比較結果として該子機に送信する第１送信手段とを有し、
前記子機は、
前記所定のテストデータを予め記憶する第２記憶手段と、
前記親機に対して比較モードを設定するように指示する指示手段と、
前記指示手段による指示後、該親機に前記第２記憶手段に記憶されている所定のテストデータを送信する第２送信手段と、
該親機から受信した前記第１比較結果をユーザーに報知する報知手段とを有し、
前記親機は、前記子機から比較モードを設定するように指示された場合には、該指示の受信後に子機から受信したテストデータの前記第１比較結果を該子機に送信することを特徴とする電話装置。
【請求項５】
前記親機は、前記第１比較結果を送信後、続けて前記第１記憶手段に記憶されている所定のテストデータを送信し、
前記子機は、該第１比較結果の受信後に受信した受信データと前記第２記憶手段に記憶されている所定のテストデータとを比較する第２比較手段を有し、
該子機は、前記第２比較手段によって比較した結果を第２比較結果として前記報知手段を介してユーザーに報知することを特徴とする請求項４に記載の電話装置。
【請求項６】
親機と、前記親機と無線で接続される子機とを備えた電話装置において、
前記親機は、
所定のテストデータを予め記憶する第１記憶手段と、
前記子機から受信した受信データと前記所定のテストデータとを比較して受信データの誤りが所定基準以下か否かを判定する第１判定手段と、
前記第１判定手段による判定結果を該子機に送信する第１送信手段とを有し、
前記子機は、
前記所定のテストデータを予め記憶する第２記憶手段と、
前記親機に対して判定モードを設定するように指示する第１指示手段と、
前記第１指示手段による指示後、該親機に前記第２記憶手段に記憶されている所定のテストデータを送信する第２送信手段と、
該親機から受信データの誤りが所定基準より大きいという第１判定結果を受信した場合には、再度、前記第２送信手段を介して該親機に前記第２記憶手段に記憶されている所定のテストデータを送信する第１再送手段と、
前記第１再送手段による送信回数をカウントする第１カウント手段と、
該親機から受信データの誤りが所定基準以下という第２判定結果を受信した場合には、前記第１カウント手段のカウント値に基づいて該第２判定結果をユーザーに報知し、前記第１再送手段による送信回数が所定回数に達しても前記第１判定結果を受信した場合には、該第１判定結果をユーザーに報知する報知手段とを有し、
前記親機は、前記子機から判定モードを設定するように指示された場合には、該指示の受信後に子機から受信するテストデータを前記第１判定手段によって判定し、この判定結果を該子機に送信することを特徴とする電話装置。
【請求項７】
前記子機は、
前記親機に前記第１記憶手段に記憶する所定のテストデータを該子機に送信するように指示する第２指示手段と、
前記親機から受信した受信データと前記第２記憶手段に記憶する所定のテストデータとを比較して受信データの誤りが所定基準以下か否かを判定する第２判定手段と、
前記第２判定手段による判定結果が、受信データの誤りが所定基準より大きいという第３判定結果の場合には、前記第２指示手段により該親機に再度、指示を行う再送信指示手段と、
前記第２指示手段により行った指示回数をカウントする第２カウント手段とを有し、
前記親機は、
前記子機から該子機に所定のテストデータを送信するように指示された場合には、該指示の受信後に、前記第１記憶手段に記憶する所定のテストデータを子機に対して送信する第３送信手段を有し、
前記子機は、前記第２指示手段による指示回数が所定回数に達しても前記第２判定手段による判定結果が前記第３判定結果の場合には、該第３判定結果を前記報知手段を介してユーザーに報知し、また、前記第２判定手段による判定結果が、受信データの誤りが所定基準以下という第４判定結果の場合には、前記第２カウント手段のカウント値に基づいて該第４判定結果を前記報知手段を介してユーザーに報知することを特徴とする請求項６に記載の電話装置。
【発明の詳細な説明】
【０００１】
【発明の属する技術分野】
本発明は、親機と、この親機と無線で接続される子機とを備えた電話装置に関し、特に、親機に、子機から受信した音声データ等を折り返し該子機に送信する擬似通話モード機能を備えることにより、親機と子機間の実際の通話品質等に基づいて、親機の配置位置を変更することなくユーザーが子機の最適通話位置を容易に確認することができる電話装置に関するものである。
【０００２】
【従来の技術】
従来より、親機と、この親機と無線で接続される子機とを備えた電話装置に関し、親機と子機間の通話品質に基づいて、親機の最適配置位置を決定する電話装置が種々提案されている。
例えば、特開２００１−１０３１５０号公報に記載された親機最適配置支援機能を備えたデジタルコードレス電話装置では、親機とその親機に登録されている複数の子機とで構成されているデジタルコードレス電話装置において、親機に、子機に対して折返モードを指令する手段と、子機から折返モードで送られてきた音声信号を遅延させる遅延回路とを設け、子機に、親機からの指令に従って折返モードに設定する手段と、親機から受信した音声信号を親機に送信する音声折返手段とから構成されている。
これにより、親機と子機間での折返通話により、障害物及びフェージングの影響を加味した実際の通話の品質に基づく通話エリアの判断が可能となり、親機の最適配置位置を容易に決定できる。
【０００３】
【発明が解決しようとする課題】
しかしながら、上述した特開２００１−１０３１５０号公報に記載された親機最適配置支援機能を備えたデジタルコードレス電話装置においては、子機に親機から受信した音声信号をこの親機に送信する音声折返手段を設けて、親機と子機間の実際の通話品質に基づいて、親機の最適配置位置を決定しているが、家の間取り等によっては、親機の配置位置を変更することができない場合があり、必ずしも最適な配置位置に親機を設置することができないという問題がある。また、子機に設けてあるアンテナマーク等による電界レベル表示や、子機が圏外になった際の圏外報知音により、圏外エリアの確認をした場合には、子機の実際の使用状態における通話品質を確認することが困難であり、多少の移動で更によい通話環境があったにも関わらず見逃すおそれがあるという問題がある。
【０００４】
そこで、本発明は、上述した問題点を解決するためになされたものであり、親機に、子機から受信した音声データ等を折り返し該子機に送信する擬似通話モード機能を備えることにより、親機と子機間の実際の通話品質等に基づいて、親機の配置位置を変更することなくユーザーが子機の最適通話位置を容易に確認することができる電話装置を提供することを目的とする。
【０００５】
【課題を解決するための手段】
前記目的を達成するため請求項１に係る電話装置は、親機と、前記親機と無線で接続される子機とを備えた電話装置において、前記親機は、所定の音声情報を予め記憶する記憶手段と、前記所定の音声情報を再生して子機に送信する送信手段とを有し、前記子機は、前記親機に対して擬似通話モードを設定するように指示する擬似通話指示手段を有し、前記親機は、前記子機から擬似通話モードを設定するように指示された場合には、前記所定の音声情報を外部から受信した音声情報として該子機に送信することを特徴とする。
【０００６】
このような特徴を有する請求項１に係る電話装置によれば、子機から親機に対して擬似通話指示手段を介して擬似通話モードを設定するように指示した場合には、親機は、子機に対して予め記憶する所定の音声情報を外部から受信した音声情報として送信するように構成されている。
これにより、子機からの簡単な操作によって、親機は所定の音声情報を子機に対して擬似的に送信するため、ユーザーはその音声を耳で実際に聞きながら、場所を変えることにより、障害物やフェージング等の影響を受ける実際の通話品質を確認しつつ通話環境のよい場所を予め探すことができると共に、通話品質がある程度よくても、多少の移動で通話環境が更によくなる場所を確実に確認することができる。また、家の間取り等によっては、親機の配置位置を変更することができない場合でも、親機の配置位置を変更せずに、子機を移動させながら実際の通話品質を確認できるため、ユーザーは通話品質のよい場所を予め探すことができる。また、親機と子機間の通信のため、外線に接続する必要が無く、余分な通話料金を節約することができる。更に、子機から操作することによって、親機からの実際の通話品質を確認することができるため、親機まで行って確認する必要が無く、煩雑な確認操作をなくすことができる。
【０００７】
また、請求項２に係る電話装置は、親機と、前記親機と無線で接続される子機とを備えた電話装置において、前記親機は、前記子機から受信した音声情報を録音する録音手段と、前記録音手段に録音された音声情報を再生して該子機に送信する送信手段とを有し、前記子機は、前記親機に対して擬似通話モードを設定するように指示する擬似通話指示手段を有し、前記親機は、前記子機から擬似通話モードを設定するように指示された場合には、該子機からの音声情報を受信して録音後、この録音した音声情報を再生して該子機に送信することを特徴とする。
【０００８】
このような特徴を有する請求項２に係る電話装置によれば、子機から親機に対して擬似通話モードを設定するように指示した後、子機から音声情報を親機に送信した場合には、親機は、子機から受信した音声情報を録音後、この録音した音声情報を再生して該子機に送信するように構成されている。
これにより、親機は受信した音声情報を一度録音して、この録音した音声情報を再生して子機に送信するため、ユーザーはその音声を耳で実際に聞きながら、場所を変えることにより、障害物やフェージング等の影響を受ける実際の通話品質を確認しつつ通話環境のよい場所を予め探すことができると共に、通話品質がある程度よくても、多少の移動で通話環境が更によくなる場所を確実に確認することができる。また、家の間取り等によっては、親機の配置位置を変更することができない場合でも、親機の配置位置を変更せずに、子機を移動させながら実際の通話品質を確認できるため、ユーザーは通話品質のよい場所を予め探すことができる。また、親機と子機間の通信のため、外線に接続する必要が無く、余分な通話料金を節約することができる。更に、子機から擬似通話モードを設定するように指示した後、音声情報を親機に送信することによって、実際の通話品質を確認することができるため、親機まで行って確認する必要が無く、煩雑な確認操作をなくすことができると共に、子機から親機に対する通話品質も同時に確認することができる。
【０００９】
また、請求項３に係る電話装置は、請求項２に記載の電話装置において、前記親機は、前記子機から擬似通話モードを設定するように指示された場合には、該指示を受けてから予め設定された所定時間内に限り該子機から受信した音声情報を録音することを特徴とする。
【００１０】
このような特徴を有する請求項３に係る電話装置によれば、請求項２に記載の電話装置において、前記親機は、前記子機から擬似通話モードを設定するように指示された場合には、該指示を受けてから予め設定された所定時間内に限り該子機から受信した音声情報を録音するため、親機の録音機能を小型化することができる。また、親機は、子機からの音声情報を所定時間内に限り録音するため、この録音した音声情報を迅速に再生して送信することが可能となり、ユーザーの速い移動に確実に追従して通話品質の確認を行うことができる。
【００１１】
また、請求項４に係る電話装置は、親機と、前記親機と無線で接続される子機とを備えた電話装置において、前記親機は、所定のテストデータを予め記憶する第１記憶手段と、前記子機から受信した受信データと前記所定のテストデータとを比較する第１比較手段と、前記第１比較手段による比較結果を第１比較結果として該子機に送信する第１送信手段とを有し、前記子機は、前記所定のテストデータを予め記憶する第２記憶手段と、前記親機に対して比較モードを設定するように指示する指示手段と、前記指示手段による指示後、該親機に前記第２記憶手段に記憶されている所定のテストデータを送信する第２送信手段と、該親機から受信した前記第１比較結果をユーザーに報知する報知手段とを有し、前記親機は、前記子機から比較モードを設定するように指示された場合には、該指示の受信後に子機から受信したテストデータの前記第１比較結果を該子機に送信することを特徴とする。
【００１２】
このような特徴を有する請求項４に係る電話装置は、子機から親機に対して比較モードを設定するように指示した後、子機から所定のテストデータを親機に送信した場合には、親機は、子機から受信した所定のテストデータと予め記憶している所定のテストデータとを比較後、この比較結果を第１比較結果として子機に送信する。そして、子機は、親機から受信したこの第１比較結果を報知手段を介してユーザーに報知するように構成されている。
これにより、ユーザーは、子機により報知される第１比較結果によって、障害物やフェージング等の影響を受ける子機から親機への電話帳データ等のデータ転送に対する実際の通信品質を確認することができる。また、ユーザーは、子機により報知される第１比較結果によって、その子機から親機への通信品質を確認しつつ通信環境のよい場所を予め探すことができると共に、通信品質がある程度よくても、多少の移動で通信環境が更によくなる場所を確実に確認することができる。また、家の間取り等によっては、親機の配置位置を変更することができない場合でも、親機の配置位置を変更せずに、子機を移動させながら実際の子機から親機への通信品質を確認できるため、ユーザーは通信品質のよい場所を予め探すことができる。また、親機と子機間の通信のため、外線に接続する必要が無く、余分な通話料金を節約することができる。更に、子機から比較モードを設定するように指示した後、所定のテストデータを親機に送信することによって、実際の子機から親機への通信品質を確認することができるため、親機まで行って確認する必要が無く、煩雑な確認操作をなくすことができると共に、子機から親機に対する通信品質も同時に確認することができる。
【００１３】
また、請求項５に係る電話装置は、請求項４に記載の電話装置において、前記親機は、前記第１比較結果を送信後、続けて前記第１記憶手段に記憶されている所定のテストデータを送信し、前記子機は、該第１比較結果の受信後に受信した受信データと前記第２記憶手段に記憶されている所定のテストデータとを比較する第２比較手段を有し、該子機は、前記第２比較手段によって比較した結果を第２比較結果として前記報知手段を介してユーザーに報知することを特徴とする。
【００１４】
このような特徴を有する請求項５に係る電話装置によれば、請求項４に記載の電話装置において、親機から第１比較結果に続いて所定のテストデータが子機に送信される。そして、子機は、第１比較結果を受信後、この受信した所定のテストデータと予め記憶している所定のテストデータとを比較後、この比較結果を第２比較結果としてユーザーに報知するように構成されている。
これにより、ユーザーは、子機により報知される第２比較結果によって、障害物やフェージング等の影響を受ける親機から子機への電話帳データ等のデータ転送に対する実際の通信品質を確認することができる。また、ユーザーは、子機により報知される第２比較結果によって、その親機から子機への通信品質を確認しつつ通信環境のよい場所を予め探すことができると共に、通信品質がある程度よくても、多少の移動で通信環境が更によくなる場所を確実に確認することができる。また、家の間取り等によっては、親機の配置位置を変更することができない場合でも、親機の配置位置を変更せずに、子機を移動させながら実際の親機から子機への通信品質を確認できるため、ユーザーは通信品質のよい場所を予め探すことができる。更に、親機から第１比較結果を送信後、所定のテストデータを子機に送信することによって、実際の親機から子機への通信品質を確認することができるため、親機まで行って確認する必要が無く、煩雑な確認操作をなくすことができると共に、親機から子機に対する通信品質も同時に確認することができる。
【００１５】
また、請求項６に係る電話装置は、親機と、前記親機と無線で接続される子機とを備えた電話装置において、前記親機は、所定のテストデータを予め記憶する第１記憶手段と、前記子機から受信した受信データと前記所定のテストデータとを比較して受信データの誤りが所定基準以下か否かを判定する第１判定手段と、前記第１判定手段による判定結果を該子機に送信する第１送信手段とを有し、前記子機は、前記所定のテストデータを予め記憶する第２記憶手段と、前記親機に対して判定モードを設定するように指示する第１指示手段と、前記第１指示手段による指示後、該親機に前記第２記憶手段に記憶されている所定のテストデータを送信する第２送信手段と、該親機から受信データの誤りが所定基準より大きいという第１判定結果を受信した場合には、再度、前記第２送信手段を介して該親機に前記第２記憶手段に記憶されている所定のテストデータを送信する第１再送手段と、前記第１再送手段による送信回数をカウントする第１カウント手段と、該親機から受信データの誤りが所定基準以下という第２判定結果を受信した場合には、前記第１カウント手段のカウント値に基づいて該第２判定結果をユーザーに報知し、前記第１再送手段による送信回数が所定回数に達しても前記第１判定結果を受信した場合には、該第１判定結果をユーザーに報知する報知手段とを有し、前記親機は、前記子機から判定モードを設定するように指示された場合には、該指示の受信後に子機から受信するテストデータを前記第１判定手段によって判定し、この判定結果を該子機に送信することを特徴とする。
【００１６】
このような特徴を有する請求項６に係る電話装置によれば、子機から親機に対して判定モードを設定するように指示した後、子機から所定のテストデータを親機に送信する。親機は、子機から判定モードを設定するように指示された場合には、この指示の受信後に子機から受信する所定のテストデータと予め記憶している所定のテストデータとを比較して受信データの誤りが所定基準以下か否かを判定し、受信データの誤りが所定基準より大きいという第１判定結果、又は受信データの誤りが所定基準以下という第２判定結果のいずれかを子機に送信する。また、子機は、親機から第１判定結果を受信した場合には、再度、所定のテストデータを再送信すると共に、再送信の送信回数をカウントする。そして、子機は、親機から受信データの誤りが所定基準以下という第２判定結果を受信した場合には、この再送信の送信回数に基づいて該第２判定結果をユーザーに報知する。（例えば、再送無しの場合は、「良好」、数回再送した場合は、「やや悪い」等を表示する。）一方、子機は、この再送信の送信回数が所定回数に達しても第１判定結果を受信した場合には、所定のテストデータの再送信を中止し、該第１判定結果をユーザーに報知するように構成されている。（例えば、「場所を変えてください」等を表示する。）
これにより、ユーザーは、子機により報知される第１判定結果又は第２判定結果によって、障害物やフェージング等の影響を受ける子機から親機への電話帳データ等のデータ転送に対する実際の通信品質を確認することができる。また、ユーザーは、子機により報知される第１判定結果又は第２判定結果によって、その子機から親機への通信品質を確認しつつ通信環境のよい場所を予め探すことができると共に、通信品質がある程度よくても、多少の移動で通信環境が更によくなる場所を確実に確認することができる。また、家の間取り等によっては、親機の配置位置を変更することができない場合でも、親機の配置位置を変更せずに、子機を移動させながら実際の子機から親機への通信品質を確認できるため、ユーザーは通信品質のよい場所を予め探すことができる。また、親機と子機間の通信のため、外線に接続する必要が無く、余分な通話料金を節約することができる。更に、子機から判定モードを設定するように指示した後、所定のテストデータを親機に送信することによって、実際の子機から親機への通信品質を第１判定結果又は第２判定結果によって確認することができるため、親機まで行って確認する必要が無く、煩雑な確認操作をなくすことができると共に、子機から親機に対する通信品質も同時に確認することができる。
【００１７】
更に、請求項７に係る電話装置は、請求項６に記載の電話装置において、前記子機は、前記親機に前記第１記憶手段に記憶する所定のテストデータを該子機に送信するように指示する第２指示手段と、前記親機から受信した受信データと前記第２記憶手段に記憶する所定のテストデータとを比較して受信データの誤りが所定基準以下か否かを判定する第２判定手段と、前記第２判定手段による判定結果が、受信データの誤りが所定基準より大きいという第３判定結果の場合には、前記第２指示手段により該親機に再度、指示を行う再送信指示手段と、前記第２指示手段により行った指示回数をカウントする第２カウント手段とを有し、前記親機は、前記子機から該子機に所定のテストデータを送信するように指示された場合には、該指示の受信後に、前記第１記憶手段に記憶する所定のテストデータを子機に対して送信する第３送信手段を有し、前記子機は、前記第２指示手段による指示回数が所定回数に達しても前記第２判定手段による判定結果が前記第３判定結果の場合には、該第３判定結果を前記報知手段を介してユーザーに報知し、また、前記第２判定手段による判定結果が、受信データの誤りが所定基準以下という第４判定結果の場合には、前記第２カウント手段のカウント値に基づいて該第４判定結果を前記報知手段を介してユーザーに報知することを特徴とする。
【００１８】
このような特徴を有する請求項７に係る電話装置によれば、請求項６に記載の電話装置において、子機は、親機に対して所定のテストデータを送信するように指示すると共に、該指示回数をカウントする。また、親機は、子機から所定のテストデータを該子機に対して送信するように指示を受けた場合には、この指示の受信後、所定のテストデータを子機に送信する。そして、子機は、親機から受信した受信データと第２記憶手段に記憶する所定のテストデータとを比較して受信データの誤りが所定基準以下か否かを判定し、この判定結果が、受信データの誤りが所定基準以下という第４判定結果の場合には、親機に対する指示回数に基づいて該第４判定結果を前記報知手段を介してユーザーに報知する。（例えば、指示回数が１回の場合は、「良好」、数回再送した場合は、「やや悪い」等を表示する。）一方、子機は、この親機に対する指示回数が所定回数に達しても第２判定手段による判定結果が、受信データの誤りが所定基準より大きいという第３判定結果の場合には、該第３判定結果を前記報知手段を介してユーザーに報知する。（例えば、「場所を変えてください」等を表示する。）
これにより、ユーザーは、子機により報知される第３判定結果又は第４判定結果によって、障害物やフェージング等の影響を受ける親機から子機への電話帳データ等のデータ転送に対する実際の通信品質を確認することができる。また、ユーザーは、子機により報知される第３判定結果又は第４判定結果によって、その親機から子機への通信品質を確認しつつ通信環境のよい場所を予め探すことができると共に、通信品質がある程度よくても、多少の移動で通信環境が更によくなる場所を確実に確認することができる。また、家の間取り等によっては、親機の配置位置を変更することができない場合でも、親機の配置位置を変更せずに、子機を移動させながら第３判定結果又は第４判定結果によって、実際の親機から子機への通信品質を確認できるため、ユーザーは通信品質のよい場所を予め探すことができる。更に、子機からの指示によって、親機から所定のテストデータが子機に送信されるため、親機まで行って確認する必要が無く、煩雑な確認操作をなくすことができると共に、親機から子機に対する実際の通信品質も同時に確認することができる。
【００１９】
【発明の実施の形態】
以下、本発明に係る電話装置について、本発明をＬモード対応ファクシミリ装置につき具体化した第１実施形態乃至第４実施形態に基づいて図面を参照しつつ詳細に説明する。
先ず、第１実施形態に係るＬモード対応ファクシミリ装置の概略構成について図１乃至図４に基づき説明する。図１は第１実施形態に係るＬモード対応ファクシミリ装置の本体の外観を示す平面図である。図２は第１実施形態に係るＬモード対応ファクシミリ装置の子機の外観を示す正面図である。図３は第１実施形態に係るＬモード対応ファクシミリ装置の本体の要部の回路ブロック図である。図４は第１実施形態に係るＬモード対応ファクシミリ装置の子機の要部の回路ブロック図である。
【００２０】
図１に示すように、第１実施形態に係るＬモード対応ファクシミリ装置の本体１には、表示器２及び多数のボタン（キー）類３が配設されており、ハンドセット２２（図３参照）が接続されると共に、本体１を親機とするコードレスホンの子機５１（図２参照）が別体に設けられている。
表示器２は、例えば、液晶ディスプレイやプラズマディスプレイ等から構成されている。表示器２にはＮＴＴが設置しているＬモードゲートウェイ（不図示）と本体１との回線が接続中であることを示すピクトグラム、回線接続が切断されたことを示すメッセージ文（例えば「切断されました」等）、予め設定された待ち受け画面などが表示される。
【００２１】
ボタン類３を構成する各ボタンには、ダイヤルボタンを構成するテンキー、各操作（例えば、留守番電話の設定・解除、スピーカ再生、保留又は子機への切替など）を行うための各種機能ボタン、電子メールに関する操作を行う際に用いられるＥメールボタン３Ａ、Ｌモードに関する操作を行う際に用いられるＬボタン３Ｂ、表示器２に表示されるカーソル（不図示）を上下左右に移動させるカーソル移動ボタン（スクロールボタン）３Ｃ、ファクシミリ送受信に関する操作を行う際に用いられるファックス開始ボタン３Ｄなどがある。
【００２２】
図２に示すように、第１実施形態に係るＬモード対応ファクシミリ装置の子機５１には、表示器５２及び多数のボタン（キー）類５３が配設されている。また、表示器５２の上側にはスピーカ５４が設けられ、ボタン類５３の下側にはマイクロホン５５が設けられている。
また、表示器５２は、液晶ディスプレイやプラズマディスプレイ等から構成されている。この表示器２には、通話時間やアンテナマーク等が表示される。
ボタン類５３を構成する各ボタンには、ダイヤルボタンを構成するテンキー、電話をかけるときや受けるときに用いられる外線ボタン５３Ａ、内線通話などに用いられる内線ボタン５３Ｂ、各種機能を選択すると共に登録などを確定するする際に用いられる機能ボタン５３Ｃ、スピーカ５４の音量を調整する際に用いられる音量ボタン５４Ｄ等がある。
【００２３】
図３に示すように、Ｌモード対応ファクシミリ装置の本体１には、表示器２、ボタン類３、パネルＧＡ（Gate Array）５、モータ６、サーマルヘッド７、スキャナ８、センサ類９、ＡＦＥ（Analog Front End）１１、メロディＩＣ（Integrated Circuit）１２、スピーカ１３、ＲＴＣ（Real Time Clock）１５、ＲＯＭ１６、ＲＡＭ１７、ＥＥＰＲＯＭ１８、子機用高周波（ＲＦ：Radio Frequency）ユニット１９、クロスポイントスイッチ２１、ハンドセット２２、ＮＣＵ２３、ＣＰＵ２５、記録回路２６、読取回路２７、ＦＡＸ・データモデム２８等が備えられている。また、ＮＣＵ２３には公衆電話回線３０が接続されている。
【００２４】
ＣＰＵ２５は、親機としての本体１及び子機５１を含めたＬモード対応ファクシミリ装置全体の動作を制御する。ＣＰＵ２５には、記録回路２６、読取回路２７、パネルＧＡ５、ＦＡＸ・データモデム２８、ＡＦＥ１１、ＲＴＣ１５、ＲＯＭ１６、ＲＡＭ１７、ＥＥＰＲＯＭ１８、子機用ＲＦユニット１９が接続されている。
尚、ＣＰＵ２５、記録回路２６、読取回路２７、パネルＧＡ５、ＦＡＸ・データモデム２８は、１チップＩＣ２９によって構成されている。その１チップＩＣ２９は１チップＦＡＸエンジンと呼ばれる。
【００２５】
記録回路２６は、ＣＰＵ２５の制御処理に従い、プリンタを構成するモータ６及びサーマルヘッド７の動作を制御する。モータ６は、Ｌモード対応ファクシミリ装置の本体１に印刷用紙を供給排出するために駆動される。サーマルヘッド７は、感熱紙からなる印刷用紙に印刷を行う。尚、サーマルヘッド７に代えて、インクジェットヘッドであってもよいし、レーザーエンジンを使用してもいい。
読取回路２７は、ＣＰＵ２５の制御に従い、スキャナ８の動作を制御する。スキャナ８は、原稿に印刷されている文字や画像を読み取り、その文字や画像のデータを読取回路２７に出力する。
センサ類９は、印刷用紙がセットされていることを検出する印刷用紙検出センサ、ハンドセット２２がセットされていることを検出するハンドセット検出センサ等、本体１に備えられた各種センサから構成されている。
パネルＧＡ５は、ボタン類３及び表示器２とＣＰＵ２５との間でデータ信号の仲介を行うためのインターフェースとして機能する。
【００２６】
ＦＡＸ・データモデム２８は、ファクシミリの送受信データの変復調を行うと共に、Ｌモードにおける各種情報及び電子メールの送受信データの変復調を行う。ＡＦＥ１１は、メロディＩＣ１２及びクロスポイントスイッチ２１とＣＰＵ２５及びＦＡＸ・データモデム２８との間でデータ信号のサンプリング及び変換を行う。
メロディＩＣ１２は、ＣＰＵ２５の制御処理に従い、電話の着信メロディを生成し、スピーカ１３を駆動して当該着信メロディを発音させる。
【００２７】
ＲＴＣ１５は、現在の時刻及び年月日を計測し、それらのデータをＣＰＵ２５へ出力する。
ＲＯＭ１６は、ＣＰＵ２５が各種制御を実行するための各種制御プログラム及び子機からの指示により所定の音声データを再生して該子機の送信する後述の擬似通話モードの制御プログラム（図５参照）等を記憶している。
ＲＡＭ１７は、ＣＰＵ２５の作業領域や各種データの展開領域を提供する。
ＥＥＰＲＯＭ１８は、電話やファクシミリの送信先の電話番号、電子メールの送信先やＬモードゲートウェイを介して接続されるインターネット網（不図示）に接続された各種通信機器のＵＲＬ（Uniform Resource Locator）、後述の所定の音声データ等を記憶している。
【００２８】
子機用ＲＦユニット１９は、コードレスホンの子機５１と親機である本体１とを無線回線を通じて接続するために、ＣＰＵ２５と子機５１との間でデータ信号を無線で送受信する。
クロスポイントスイッチ２１は、子機用ＲＦユニット１９、ＮＣＵ２３、電話の送受話器からなるハンドセット２２、ＡＦＥ１１の各々の間で転送されるデータ信号を切り替えて仲介する。
ＮＣＵ２３は、公衆電話回線３０に接続されて網制御を行い、公衆電話回線３０に対するダイヤル信号を送り出すと共に、公衆電話回線３０からの呼出信号に対する応答などを行う。
【００２９】
図４に示すように、Ｌモード対応ファクシミリ装置の子機５１には、表示器５２、ボタン類５３、パネルＧＡ（Gate Array）５７、スピーカ５４、マイクロホン５５、親機用高周波（ＲＦ：Radio Frequency）ユニット５８、ＲＯＭ５９、ＲＡＭ６０、ＥＥＰＲＯＭ６１、ＣＰＵ６２等が備えられている。
【００３０】
ＣＰＵ６２は、子機５１全体の動作を制御する。ＣＰＵ６２には、スピーカ５４、マイクロホン５５、パネルＧＡ５７、親機用ＲＦユニット５８、ＲＯＭ５９、ＲＡＭ６０、ＥＥＰＲＯＭ６１が接続されている。
また、パネルＧＡ５７は、ボタン類５３及び表示器５２とＣＰＵ６２との間でデータ信号の仲介を行うためのインターフェースとして機能する。
また、ＲＯＭ５９は、ＣＰＵ６２が各種制御を実行するための各種制御プログラム及び親機への各種指示を行う後述の制御プログラムや、表示器５２に所定のメッセージ等を表示する後述の制御プログラム（図５参照）等を記憶している。
また、ＲＡＭ６０は、ＣＰＵ６２の作業領域や各種データの展開領域を提供する。
また、ＥＥＰＲＯＭ６１は、電話等の送信先の電話番号、電子メールの送信先やＬモードゲートウェイを介して接続されるインターネット網（不図示）に接続された各種通信機器のＵＲＬ（Uniform Resource Locator）等を記憶している。
また、親機用ＲＦユニット５８は、子機５１と親機１とを無線回線を通じて接続するために、ＣＰＵ６２と親機１との間でデータ信号を無線で送受信する。
【００３１】
ここで、ＥＥＰＲＯＭ１８は、記憶手段として機能する。また、ＣＰＵ２５、子機用ＲＦユニット１９、ＲＯＭ１６、ＲＡＭ１７は、送信手段を構成する。また、ＣＰＵ６２、ボタン類５３、パネルＧＡ５７、親機用ＲＦユニット５８、ＲＯＭ５９、ＲＡＭ６０は、擬似通話指示手段を構成する。
【００３２】
次に、このように構成されたＬモード対応ファクシミリ装置の子機５１からの操作によって、本体としての親機１を介した外部との通話品質の確認を行う検査処理について図５に基づいて説明する。図５は第１実施形態に係るＬモード対応ファクシミリ装置の子機５１からの操作によって、本体としての親機１を介した外部との通話品質の確認を行う検査処理を示すフローチャートである。
図５に示すように、ステップ（以下、Ｓと略記する）１において、親機１のＣＰＵ２５は、子機用ＲＦユニット１９を介して子機５１から擬似通話モードを設定するように指示されたか否かを判定する判定処理を実行する。
ここで、子機５１から親機１に対して擬似通話モードを設定するように指示する操作は、ユーザーが任意の場所で、子機１の機能ボタン５３を操作して（「＊」ボタンと「１」ボタンとを同時に押下して）、表示器５２に「擬似通話モード設定」の表示をさせた後、内線ボタン５３Ｂを押下することによって、子機５１のＣＰＵ６２は、親機用ＲＦユニット５８を介して親機１に対して擬似通話モードを設定するように指示する。
そして、親機１は子機５１から擬似通話モードの設定指示を受信していない場合には（Ｓ１：ＮＯ）、処理を終了する。
一方、親機１は、子機５１から擬似通話モードの設定指示を受信している場合は（Ｓ１：ＹＥＳ）、Ｓ２において、親機１のＣＰＵ２５は、子機用ＲＦユニット１９を介する子機５１との通話状態の設定を行う。
【００３３】
そして、Ｓ３において、親機１のＣＰＵ２５は、ＥＥＰＲＯＭ１８から予め記憶している所定の音声データ（例えば、約３０秒程度の通話品質検査方法を説明する音声案内情報等）を読み出し、この所定の音声データを繰返し再生して、外部から受信した音声情報として子機５１に送信する。
【００３４】
続いて、Ｓ４において、親機１のＣＰＵ２５は、子機５１から親機１に対して送信される擬似通話モードを終了する旨の終了指示を受信するのを待つ（Ｓ４：ＮＯ）。
この子機５１から擬似通話モードを終了する旨の終了指示は、ユーザーが、親機１から送信される所定の音声情報をスピーカ５４から聞いて、この音声情報の通話品質を判定した後、再度、内線ボタン５３Ｂを押下することによって、子機５１のＣＰＵ６２は、親機用ＲＦユニット５８を介して、親機１に対して該終了指示を送信する。この後、子機５１のＣＰＵ６２は、第三者からの着信待ちの状態を設定する。
【００３５】
そして、親機１のＣＰＵ２５は、子機用ＲＦユニット１９を介して、子機５１から擬似通話モードを終了する旨の終了指示を受信した場合には（Ｓ４：ＹＥＳ）、Ｓ５において、当該所定の音声データの再生を中止して、子機５１への音声情報の送信を停止する。
その後、Ｓ６において、親機１のＣＰＵ２５は、第三者からの着信待ちの状態を設定した後、当該処理を終了する。
【００３６】
以上詳細に説明した通り、第１実施形態に係るＬモード対応ファクシミリ装置では、親機１のＣＰＵ２５は、子機５１のＣＰＵ６２から擬似通話モードを設定するように指示された場合には（Ｓ１：ＹＥＳ）、子機５１に対して外部から受信した音声情報として所定の音声データを繰返し再生して送信する（Ｓ３、Ｓ４：ＮＯ）。そして、ユーザーは子機５１のスピーカ５４を介して親機１からの音声情報を聞いて通話品質を判定後、再度内線ボタン５３Ｂを押下して終了指示を親機１に送信する。この後、子機５１のＣＰＵ６２は、第三者からの着信待ちの状態を設定する。一方、親機１のＣＰＵ２５は、この終了指示を受信した場合には、音声情報の送信を停止して、第三者からの着信待ちの状態になる（Ｓ４：ＹＥＳ、Ｓ５、Ｓ６）。
【００３７】
従って、子機５１から親機１に対して擬似通話モードの設定指示を行うことによって、親機１は予め記憶している所定の音声情報を子機５１に対して、外部から受信した音声情報として擬似的に送信するため、ユーザーはその音声を耳で実際に聞きながら、場所を変えることにより、障害物やフェージング等の影響を受ける実際の通話品質を確認しつつ通話環境のよい場所を予め探すことができると共に、通話品質がある程度よくても、多少の移動で通話環境が更によくなる場所を確実に確認することができる。また、家の間取り等によっては、親機１の配置位置を変更することができない場合でも、親機１の配置位置を変更せずに、子機５１を移動させながら実際の通話品質を確認できるため、ユーザーは通話品質のよい場所を予め探すことができる。また、親機１と子機５１間の通信のため、公衆電話回線３０を介して外線に接続する必要が無く、余分な通話料金を節約することができる。更に、子機５１から機能ボタン５３Ｃや内線ボタン５３Ｂを操作することによって、親機１からの実際の通話品質を確認することができるため、親機１まで行って確認する必要が無く、煩雑な確認操作をなくすことができる。
【００３８】
次に、第２実施形態に係るＬモード対応ファクシミリ装置について説明する。この第２実施形態に係るＬモード対応ファクシミリ装置の全体構成及び制御回路構成は、第１実施形態に係るＬモード対応ファクシミリ装置とほぼ同じ構成である。ただし、第２実施形態に係るＬモード対応ファクシミリ装置は、親機１のＥＥＰＲＯＭ１８に所定の音声データを記憶していない点で、上記第１実施形態に係るＬモード対応ファクシミリ装置と異なっている。
尚、以下の説明において上記図１乃至図５の第１実施形態に係るＬモード対応ファクシミリ装置の構成と同一符号は、該第１実施形態に係るＬモード対応ファクシミリ装置の構成と同一あるいは相当部分を示すものである。
【００３９】
ここで、ＣＰＵ２５、ＡＦＥ（Analog Front End）１１、ＲＡＭ１７は、録音手段を構成する。また、ＣＰＵ２５、子機用ＲＦユニット１９、ＲＯＭ１６、ＲＡＭ１７は、送信手段を構成する。また、ＣＰＵ６２、ボタン類５３、パネルＧＡ５７、親機用ＲＦユニット５８、ＲＯＭ５９、ＲＡＭ６０は、擬似通話指示手段を構成する。
【００４０】
次に、このように構成されたＬモード対応ファクシミリ装置の子機５１からの操作によって、本体としての親機１を介した外部との通話品質の確認を行う検査処理について図６に基づいて説明する。図６は第２実施形態に係るＬモード対応ファクシミリ装置の子機５１からの操作によって、本体としての親機１を介した外部との通話品質の確認を行う検査処理を示すフローチャートである。
図６に示すように、Ｓ１１において、親機１のＣＰＵ２５は、子機用ＲＦユニット１９を介して子機５１から擬似通話モードを設定するように指示されたか否かを判定する判定処理を実行する。
ここで、子機５１から親機１に対して擬似通話モードを設定するように指示する操作は、ユーザーが任意の場所で、子機１の機能ボタン５３を操作して（「＊」ボタンと「２」ボタンとを同時に押下して）、表示器５２に「擬似通話モード設定」の表示をさせた後、内線ボタン５３Ｂを押下することによって、子機５１のＣＰＵ６２は、親機用ＲＦユニット５８を介して親機１に対して擬似通話モードを設定するように指示する。その後、子機１のＣＰＵ６２は、「テスト音声をお話下さい」というメッセージを表示器５２に表示し、マイクロホン５５を介して入力されるユーザーの音声情報を親機用ＲＦユニット５８を介して親機１に送信する。
そして、親機１は子機５１から擬似通話モードの設定指示を受信していない場合には（Ｓ１１：ＮＯ）、処理を終了する。
【００４１】
一方、親機１は、子機５１から擬似通話モードの設定指示を受信している場合は（Ｓ１１：ＹＥＳ）、Ｓ１２において、親機１のＣＰＵ２５は、子機用ＲＦユニット１９を介する子機５１との通話状態の設定を行う。
【００４２】
そして、Ｓ１３において、親機１のＣＰＵ２５は、子機用ＲＦユニット１９を介して受信した子機５１からの音声情報をＡＦＥ１１を介してデジタルデータ化し、ＲＡＭ１７への記憶を開始して、この子機５１からの音声情報の録音を開始する。
続いて、Ｓ１４において、親機１のＣＰＵ２５は、子機５１からの音声情報を所定時間（第２実施形態では、約１５秒である。）録音する（Ｓ１４：ＮＯ）。
そして、親機１のＣＰＵ２５は、子機５１からの音声情報を所定時間録音した場合には（Ｓ１４：ＹＥＳ）、Ｓ１５において、子機５２からの音声情報の録音を停止し、Ｓ１６において、この録音した音声情報をＲＡＭ１７から読み出し、繰返し再生して、外部から受信した音声情報として子機５１に送信する。
【００４３】
続いて、Ｓ１７において、親機１のＣＰＵ２５は、子機５１から親機１に対して送信される擬似通話モードを終了する旨の終了指示を受信するのを待つ（Ｓ１７：ＮＯ）。
この子機５１から擬似通話モードを終了する旨の終了指示は、ユーザーが、親機１から送信される再生された音声情報をスピーカ５４から聞いて、この音声情報の通話品質を判定した後、再度、内線ボタン５３Ｂを押下することによって、子機５１のＣＰＵ６２は、親機用ＲＦユニット５８を介して、親機１に対して該終了指示を送信する。この後、子機５１のＣＰＵ６２は、第三者からの着信待ちの状態を設定する。
【００４４】
そして、親機１のＣＰＵ２５は、子機用ＲＦユニット１９を介して、子機５１から擬似通話モードを終了する旨の終了指示を受信した場合には（Ｓ１７：ＹＥＳ）、Ｓ１８において、ＲＡＭ１７に録音した音声情報の再生を中止して、子機５１への音声情報の送信を停止する。
その後、Ｓ１９において、親機１のＣＰＵ２５は、第三者からの着信待ちの状態を設定した後、当該処理を終了する。
【００４５】
以上詳細に説明した通り、第２実施形態に係るＬモード対応ファクシミリ装置では、親機１のＣＰＵ２５は、子機５１のＣＰＵ６２から擬似通話モードを設定するように指示された場合には（Ｓ１１：ＹＥＳ）、子機５１からの音声情報をＡＦＥ１１を介してデジタルデータ化してＲＡＭ１７に所定時間（第２実施形態では、約１５秒である。）録音後、この録音した音声情報を繰り返し再生して、子機５１に対して外部から受信した音声情報として送信する（Ｓ１２〜Ｓ１７：ＮＯ）。そして、ユーザーは子機５１のスピーカ５４を介して親機１からの音声情報を聞いて通話品質を判定後、再度内線ボタン５３Ｂを押下して終了指示を親機１に送信する。この後、子機５１のＣＰＵ６２は、第三者からの着信待ちの状態を設定する。一方、親機１のＣＰＵ２５は、この終了指示を受信した場合には、音声情報の送信を停止して、第三者からの着信待ちの状態になる（Ｓ１７：ＹＥＳ〜Ｓ１９）。
【００４６】
従って、子機５１から親機１に対して擬似通話モードの設定指示を行うことによって、親機１は、子機５１から受信した音声情報をＲＡＭ１７に所定時間録音後、この録音した音声情報を再生して子機５１に送信するため、ユーザーはその音声を耳で実際に聞きながら、場所を変えることにより、障害物やフェージング等の影響を受ける実際の通話品質を確認しつつ通話環境のよい場所を予め探すことができると共に、通話品質がある程度よくても、多少の移動で通話環境が更によくなる場所を確実に確認することができる。また、家の間取り等によっては、親機１の配置位置を変更することができない場合でも、親機１の配置位置を変更せずに、子機５１を移動させながら実際の通話品質を確認できるため、ユーザーは通話品質のよい場所を予め探すことができる。また、親機１と子機５１間の通信のため、公衆電話回線３０に接続する必要が無く、余分な通話料金を節約することができる。更に、子機５１から擬似通話モードを設定するように指示した後、子機５１から音声情報を親機１に送信することによって、実際の通話品質を確認することができるため、親機１まで行って確認する必要が無く、煩雑な確認操作をなくすことができると共に、子機５１から親機１に対する通話品質も同時に確認することができる。
また、親機１は、子機５１から擬似通話モードを設定するように指示された場合には、該指示を受けてから予め設定された所定時間内に限り該子機５１から受信した音声情報を録音するため、録音手段として動作する親機１のＲＡＭ１７を小型化することができる。また、親機１は、子機５１からの音声情報を所定時間内に限り録音するため、この録音した音声情報を迅速に再生して送信することが可能となり、ユーザーの速い移動に確実に追従して通話品質の確認を行うことができる。
【００４７】
次に、第３実施形態に係るＬモード対応ファクシミリ装置について説明する。
この第３実施形態に係るＬモード対応ファクシミリ装置の全体構成及び制御回路構成は、第１実施形態に係るＬモード対応ファクシミリ装置とほぼ同じ構成である。ただし、第３実施形態に係るＬモード対応ファクシミリ装置は、親機１と子機５１との間で電話帳情報などのデジタルデータの送受信を行い、通信品質の検査処理を実行する点で、上記第１実施形態に係るＬモード対応ファクシミリ装置と異なっている。
尚、以下の説明において上記図１乃至図５の第１実施形態に係るＬモード対応ファクシミリ装置の構成と同一符号は、該第１実施形態に係るＬモード対応ファクシミリ装置の構成と同一あるいは相当部分を示すものである。
【００４８】
ここで、ＥＥＰＲＯＭ１８は、第１記憶手段として機能する。また、ＣＰＵ２５、ＲＯＭ１６、ＲＡＭ１７、ＥＥＰＲＯＭ１８は、第１比較手段を構成する。また、ＣＰＵ２５、子機用ＲＦユニット１９、ＲＯＭ１６、ＲＡＭ１７は、第１送信手段を構成する。また、ＥＥＰＲＯＭ６１は、第２記憶手段として機能する。また、ＣＰＵ６２、ボタン類５３、パネルＧＡ５７、親機用ＲＦユニット５８、ＲＯＭ５９、ＲＡＭ６０は、指示手段を構成する。また、ＣＰＵ６２、親機用ＲＦユニット５８、ＲＯＭ５９、ＲＡＭ６０は、第２送信手段を構成する。また、ＣＰＵ６２、ＲＯＭ５９、パネルＧＡ５７、表示器５２は、報知手段を構成する。また、ＣＰＵ６２、ＲＯＭ５９、ＲＡＭ６０、ＥＥＰＲＯＭ６１は、第２比較手段を構成する。
【００４９】
次に、このように構成されたＬモード対応ファクシミリ装置の子機５１からの操作によって、本体としての親機１との通信品質の確認を行う検査処理について図７に基づいて説明する。図７は第３実施形態に係るＬモード対応ファクシミリ装置の子機５１からの操作によって、本体としての親機１との通信品質の確認を行う検査処理を示すフローチャートである。
図７に示すように、Ｓ２１において、親機１のＣＰＵ２５は、電話帳等のデジタルデータの送受信の通信品質を検査するために、子機用ＲＦユニット１９を介して子機５１から比較モードを設定するように指示されたか否かを判定する判定処理を実行する。
ここで、子機５１から親機１に対して比較モードを設定するように指示する操作は、ユーザーが任意の場所で、子機１の機能ボタン５３を操作して（「＊」ボタンと「３」ボタンとを同時に押下して）、表示器５２に「通信品質の検査を行う」の表示をさせた後、内線ボタン５３Ｂを押下することによって、子機５１のＣＰＵ６２は、親機用ＲＦユニット５８を介して親機１に対して比較モードを設定するように指示する。
そして、親機１は子機５１から比較モードの設定指示を受信していない場合には（Ｓ２１：ＮＯ）、処理を終了する。
【００５０】
一方、親機１は、子機５１から比較モードの設定指示を受信している場合は（Ｓ２１：ＹＥＳ）、Ｓ２２において、親機１のＣＰＵ２５は、比較モードの設定指示に続いて子機用ＲＦユニット１９を介して受信したテスト用デジタルデータをＡＦＥ１１を介してデジタルデータ化し、ＲＡＭ１７に記憶する。
尚、子機５１のＣＰＵ６２は、親機１に対して比較モードを設定するように指示した後、続けて、ＥＥＰＲＯＭ６１に予め記憶するテスト通信用のデジタルデータを読み出して、親機用ＲＦユニット５８を介して親機１に送信する。
【００５１】
そして、Ｓ２３において、親機１のＣＰＵ２５は、子機５１から受信したテスト通信用のデジタルデータと、ＥＥＰＲＯＭ１８に予め記憶するテスト通信用のデジタルデータとを比較して、受信データのエラー率等の比較結果のデータを第１比較結果としてＲＡＭ１７に記憶する。
尚、親機１のＥＥＰＲＯＭ１８には、子機５１のＥＥＰＲＯＭ６１に予め記憶されているテスト通信用のデジタルデータと同じテスト通信用のデジタルデータが、予め記憶されている。
【００５２】
続いて、Ｓ２４において、親機１のＣＰＵ２５は、ＲＡＭ１７から再度、この第１比較結果を読み出して、子機用ＲＦユニット１９を介して子機５１に該第１比較結果を送信する。
また、Ｓ２５において、親機１のＣＰＵ２５は、この第１比較結果のデータを送信後、ＥＥＰＲＯＭ１８に予め記憶しているテスト通信用のデジタルデータを読み出して、子機用ＲＦユニット１９を介して子機５１に送信する。
この後、親機１のＣＰＵ２５は、Ｓ２６において、第三者からの着信待ちの状態を設定する。
【００５３】
一方、Ｓ２７において、子機５１のＣＰＵ６２は、親機１から受信した第１比較結果とテスト通信用のデジタルデータとをＲＡＭ６０に記憶する。そして、子機５１のＣＰＵ６２は、親機１から受信したテスト通信用のデジタルデータと、ＥＥＰＲＯＭ６１に予め記憶するテスト通信用のデジタルデータとを比較して、受信データのエラー率等の比較結果のデータを第２比較結果としてＲＡＭ６０に記憶する。
【００５４】
そして、Ｓ２８において、子機５１のＣＰＵ６２は、ＲＡＭ６０からこの第１比較結果と第２比較結果を表示器５２に表示する。
例えば、第１比較結果として「親機のエラー率：０％です」、第２比較結果として「子機のエラー率：０．１％です」と表示器５２に表示する。
その後、Ｓ２９において、ユーザーが、この第１比較結果と第２比較結果から通信品質を判定した後、再度、内線ボタン５３Ｂを押下するか、表示後所定時間（第３実施形態では、約３分である。）経過した場合には、子機５１のＣＰＵ６２は、当該表示を消して、第三者からの着信待ちの状態を設定し、処理を終了する。
【００５５】
以上詳細に説明した通り、第３実施形態に係るＬモード対応ファクシミリ装置では、親機１のＣＰＵ２５は、子機５１のＣＰＵ６２から比較モードを設定するように指示された場合には（Ｓ２１：ＹＥＳ）、子機５１から受信したテスト通信用のデジタルデータをＲＡＭ１７に記憶後、この受信したテスト通信用デジタルデータと予めＥＥＰＲＯＭ１８に記憶しているテスト通信用デジタルデータとを比較して、第１比較結果としてＲＡＭ１７に記憶する（Ｓ２２〜Ｓ２３）。そして、親機１のＣＰＵ２５は、この第１比較結果とＥＥＰＲＯＭ１８に記憶しているテスト通信用のデジタルデータとを子機１に送信後、第三者からの着信待ちの状態を設定する（Ｓ２４〜Ｓ２６）。一方、子機５１のＣＰＵ６２は、親機１から受信した第１比較結果とテスト通信用のデジタルデータをＲＡＭ６０に記憶後、この受信したテスト通信用のデジタルデータと予めＥＥＰＲＯＭ６１に記憶しているテスト通信用のデジタルデータとを比較して、第２比較結果としてＲＡＭ６０に記憶する（Ｓ２７）。そして、子機５１のＣＰＵ６２は、ＲＡＭ６０からこの第１比較結果と第２比較結果とを読み出して、表示器５２に表示し、ユーザーに報知後、第三者からの着信待ちの状態になる（Ｓ２８〜Ｓ２９）。
【００５６】
従って、ユーザーは、子機５１により報知される第１比較結果または第２比較結果によって、障害物やフェージング等の影響を受ける子機５１と親機１との間の電話帳データ等のデータ転送に対する実際の通信品質を確認することができる。また、ユーザーは、子機５１により報知される第１比較結果または第２比較結果によって、その子機５１と親機１との間の通信品質を確認しつつ通信環境のよい場所を予め探すことができると共に、通信品質がある程度よくても、多少の移動で通信環境が更によくなる場所を確実に確認することができる。また、家の間取り等によっては、親機１の配置位置を変更することができない場合でも、親機１の配置位置を変更せずに、子機５１を移動させながら実際の子機５１と親機１との間の通信品質を確認できるため、ユーザーは通信品質のよい場所を予め探すことができる。また、親機１と子機５２間の通信のため、公衆電話回線３０に接続する必要が無く、余分な通話料金を節約することができる。更に、子機５１から比較モードを設定するように親機１に指示することによって、実際の子機５１と親機１との間の通信品質が子機５１の表示器５２に表示されるため、親機１まで行って確認する必要が無く、煩雑な確認操作をなくすことができると共に、子機５１と親機１との間の通信品質も同時に確認することができる。
【００５７】
次に、第４実施形態に係るＬモード対応ファクシミリ装置について説明する。
この第４実施形態に係るＬモード対応ファクシミリ装置の全体構成及び制御回路構成は、第１実施形態に係るＬモード対応ファクシミリ装置とほぼ同じ構成である。ただし、第４実施形態に係るＬモード対応ファクシミリ装置は、親機１と子機５１との間で電話帳情報などのデジタルデータの送受信を行い、通信品質の検査処理を実行する点で、上記第１実施形態に係るＬモード対応ファクシミリ装置と異なっている。
尚、以下の説明において上記図１乃至図５の第１実施形態に係るＬモード対応ファクシミリ装置の構成と同一符号は、該第１実施形態に係るＬモード対応ファクシミリ装置の構成と同一あるいは相当部分を示すものである。
【００５８】
ここで、ＥＥＰＲＯＭ１８は、第１記憶手段として機能する。また、ＣＰＵ２５、ＲＯＭ１６、ＲＡＭ１７、ＥＥＰＲＯＭ１８は、第１判定手段を構成する。また、ＣＰＵ２５、子機用ＲＦユニット１９、ＲＯＭ１６、ＲＡＭ１７は、第１送信手段及び第３送信手段を構成する。また、ＥＥＰＲＯＭ６１は、第２記憶手段として機能する。また、ＣＰＵ６２、ボタン類５３、パネルＧＡ５７、親機用ＲＦユニット５８、ＲＯＭ５９、ＲＡＭ６０は、第１指示手段を構成する。また、ＣＰＵ６２、親機用ＲＦユニット５８、ＲＯＭ５９、ＲＡＭ６０は、第２送信手段を構成する。また、ＣＰＵ６２、親機用ＲＦユニット５８、ＲＯＭ５９、ＲＡＭ６０、ＥＥＰＲＯＭ６１は、第１再送手段を構成する。また、ＣＰＵ６２、ＲＡＭ６０は、第１カウント手段及び第２カウント手段を構成する。また、ＣＰＵ６２、ＲＯＭ５９、パネルＧＡ５７、表示器５２は、報知手段を構成する。また、ＣＰＵ６２、親機用ＲＦユニット５８、ＲＯＭ５９は、第２指示手段を構成する。また、ＣＰＵ６２、ＲＯＭ５９、ＲＡＭ６０、ＥＥＰＲＯＭ６１は、第２判定手段を構成する。また、ＣＰＵ６２、ＲＯＭ５９、ＲＡＭ６０は、再送信指示手段を構成する。
【００５９】
次に、このように構成されたＬモード対応ファクシミリ装置の子機５１からの操作によって、本体としての親機１との通信品質の確認を行う検査処理について図８乃至図１０に基づいて説明する。図８は第４実施形態に係るＬモード対応ファクシミリ装置の子機５１からの操作によって、本体としての親機１との通信品質の確認を行う検査処理を示すメインフローチャートである。図９は第４実施形態に係るＬモード対応ファクシミリ装置の子機５１から親機１に対する通信品質の確認を行う第１判定処理を示すサブフローチャートである。図１０は第４実施形態に係るＬモード対応ファクシミリ装置の親機１から子機５１に対する通信品質の確認を行う第２判定処理を示すサブフローチャートである。
【００６０】
図８に示すように、Ｓ３５において、親機１のＣＰＵ２５は、電話帳等のデジタルデータの送受信の通信品質を検査するために、子機用ＲＦユニット１９を介して子機５１から判定モードを設定するように指示されたか否かを判定する判定処理を実行する。
ここで、子機５１から親機１に対して判定モードを設定するように指示する操作は、ユーザーが任意の場所で、子機１の機能ボタン５３を操作して（「＊」ボタンと「４」ボタンとを同時に押下して）、表示器５２に「通信品質の検査を行う」の表示をさせた後、内線ボタン５３Ｂを押下することによって、子機５１のＣＰＵ６２は、親機用ＲＦユニット５８を介して親機１に対して判定モードを設定するように指示する。
そして、親機１は子機５１から判定モードの設定指示を受信していない場合には（Ｓ３５：ＮＯ）、処理を終了する。
【００６１】
一方、親機１が、子機５１から判定モードの設定指示を受信して、判定モードを設定している場合には（Ｓ３５：ＹＥＳ）、Ｓ３６において、第１判定処理のサブ処理が実行される。
ここで、第１判定処理のサブ処理について図９に基づいて説明する。
図９に示すように、先ず、Ｓ４１において、子機５１のＣＰＵ６２は、親機１から子機５１に対してテスト通信用のデジタルデータを再送信した再送信回数を表す代数ＮをＲＡＭ６０から読み出し、該代数ＮがＥＥＰＲＯＭ６１に記憶される所定値（第４実施形態では、「３」である。）以下であるか否かを判定する判定処理を実行する。尚、子機５１の起動時に、再送信回数を表す代数Ｎには「０」が代入されて、リセットされる。
そして、子機１のＣＰＵ６２は、ＲＡＭ６０から読み出した再送信回数を表す代数Ｎが所定値より大きい場合には（Ｓ４１：ＮＯ）、本サブ処理を終了して、メインフローチャートに戻る。
【００６２】
一方、子機１のＣＰＵ６２は、ＲＡＭ６０から読み出した再送信回数を表す代数Ｎが所定値以下の場合には（Ｓ４１：ＹＥＳ）、Ｓ４２において、ＥＥＰＲＯＭ６１に予め記憶するテスト通信用のデジタルデータを読み出して、親機用ＲＦユニット５８を介して親機１に送信する。
【００６３】
また、Ｓ４３において、親機１のＣＰＵ２５は、判定モードの設定時に、子機用ＲＦユニット１９を介してテスト通信用デジタルデータを子機５１から受信するとＡＦＥ１１を介してデジタルデータ化し、ＲＡＭ１７に記憶する。そして、親機１のＣＰＵ２５は、この受信したテスト通信用のデジタルデータと、ＥＥＰＲＯＭ１８に予め記憶するテスト通信用のデジタルデータとを比較して、受信データのエラー率を測定する。
【００６４】
続いて、Ｓ４４において、親機１のＣＰＵ２５は、この受信データのエラー率が所定基準（第４実施形態では、この所定基準のエラー率は、０．１％である。）以下であるか否かを判定する判定処理を実行する。
そして、親機１のＣＰＵ２５は、この受信データのエラー率が所定基準より大きい場合には（Ｓ４４：ＮＯ）、Ｓ４５において、受信データのエラー率が所定基準より大きい旨を表す第１判定結果を子機用ＲＦユニット１９を介して子機５１に送信する。
また、Ｓ４６において、子機５１のＣＰＵ６２は、親機用ＲＦユニット５８を介してこの第１判定結果を受信すると、ＲＡＭ６０から再送信回数としての代数Ｎを読み出し、「１」加算して記憶後、再度、Ｓ４１以降の処理を実行する。
【００６５】
一方、親機１のＣＰＵ２５は、子機５１からの受信データのエラー率が所定基準以下の場合には（Ｓ４４：ＹＥＳ）、Ｓ４７において、受信データのエラー率が所定基準以下である旨を表す第２判定結果を子機用ＲＦユニット１９を介して子機５１に送信することにより、本サブ処理は終了し、メインフローチャートに戻る。即ち、第２判定処理（Ｓ３７）のサブ処理以降の処理が実行される。
【００６６】
次に、Ｓ３７において実行される第２判定処理のサブ処理について図１０に基づいて説明する。
図１０に示すように、先ず、Ｓ５１において、子機５１のＣＰＵ６２は、子機５１から親機１に対してテスト通信用デジタルデータの転送を要求した転送要求回数を表す代数ＳをＲＡＭ６０から読み出し、該代数ＳがＥＥＰＲＯＭ６１に記憶される所定値（第４実施形態では、「３」である。）以下であるか否かを判定する判定処理を実行する。尚、子機５１の起動時に、転送要求回数を表す代数Ｓには「０」が代入されて、リセットされる。
そして、子機１のＣＰＵ６２は、ＲＡＭ６０から読み出した転送要求回数を表す代数Ｓが所定値より大きい場合には（Ｓ５１：ＮＯ）、本サブ処理を終了して、メインフローチャートに戻る。
【００６７】
一方、子機５１のＣＰＵ６２は、ＲＡＭ６０から読み出した転送要求回数を表す代数Ｓが所定値以下の場合には（Ｓ５１：ＹＥＳ）、Ｓ５２において、親機１に対してテスト通信用デジタルデータを子機５１に送信するように指示する転送指示を行う。
そして、Ｓ５３において、子機５１のＣＰＵ６２は、ＲＡＭ６０から転送要求回数を表す代数Ｓを読み出して、「１」加算してＲＡＭ６０に記憶する。
【００６８】
また、Ｓ５４において、親機１のＣＰＵ２５は、判定モード設定時に、子機５１からテスト通信用デジタルデータの転送指示を受信した場合には、子機用ＲＦユニット１９を介してＥＥＰＲＯＭ１８に記憶するテスト通信用デジタルデータを子機５１に対して送信する。
【００６９】
続いて、Ｓ５５において、子機５１のＣＰＵ６２は、親機用ＲＦユニット５８を介してテスト通信用デジタルデータを親機１から受信すると、この受信したテスト通信用のデジタルデータと、ＥＥＰＲＯＭ６１に予め記憶するテスト通信用のデジタルデータとを比較して、受信データのエラー率を測定する。
そして、Ｓ５６において、子機５１のＣＰＵ６２は、この受信データのエラー率が所定基準（第４実施形態では、この所定基準のエラー率は、０．１％である。）より大きい第３判定結果か、該所定基準以下の第４判定結果であるかを判定する判定処理を実行する。
子機５１のＣＰＵ６２は、この判定処理の結果、受信データのエラー率が所定基準より大きい、即ち第３判定結果であると判定した場合には（Ｓ５６：ＮＯ）、再度、Ｓ５１以降の処理を実行する。
一方、子機５１のＣＰＵ６２は、この判定処理の結果、受信データのエラー率が所定基準以下、即ち第４判定結果であると判定した場合には（Ｓ５６：ＹＥＳ）、本サブ処理を終了してメインフローチャートに戻る。即ち、Ｓ３７の処理が終了する。
【００７０】
次に、Ｓ３８において、子機５１のＣＰＵ６２は、ＲＡＭ６０から再送信回数としての代数Ｎを読み出し、該代数Ｎが「０」の場合には、子機５１から親機１へのデータ転送が良好に行われている旨を表示器５２に表示する。例えば、「子機から親機への通信：良好です」と表示器５２に表示する。
また、子機５１のＣＰＵ６２は、ＲＡＭ６０から再送信回数としての代数Ｎを読み出し、該代数Ｎが「１」〜「３」の場合には、子機５１から親機１へのデータ転送の環境がやや悪い旨を表示器５２に表示する。例えば、「子機から親機への通信：やや悪い環境です」と表示器５２に表示する。
更に、子機５１のＣＰＵ６２は、ＲＡＭ６０から再送信回数としての代数Ｎを読み出し、該代数Ｎが「４」の場合には、子機５１から親機１へのデータ転送が良好に行われない環境である旨を表示器５２に表示する。例えば、「子機から親機への通信：悪い環境です。子機の場所を変えてください」と表示器５２に表示する。
【００７１】
また、子機５１のＣＰＵ６２は、ＲＡＭ６０から転送要求回数としての代数Ｓを読み出し、該代数Ｓが「１」の場合には、親機１から子機５１へのデータ転送が良好に行われている旨を表示器５２に表示する。例えば、「親機から子機への通信：良好です」と表示器５２に表示する。
また、子機５１のＣＰＵ６２は、ＲＡＭ６０から転送要求回数としての代数Ｓを読み出し、該代数Ｓが「２」〜「３」の場合には、親機１から子機５１へのデータ転送の環境がやや悪い旨を表示器５２に表示する。例えば、「親機から子機への通信：やや悪い環境です」と表示器５２に表示する。
更に、子機５１のＣＰＵ６２は、ＲＡＭ６０から転送要求回数としての代数Ｓを読み出し、該代数Ｓが「４」の場合には、親機１から子機５１へのデータ転送が良好に行われない環境である旨を表示器５２に表示する。例えば、「親機から子機への通信：悪い環境です。子機の場所を変えてください」と表示器５２に表示する。
【００７２】
そして、Ｓ３９において、子機５１のＣＰＵ６２は、親機１に対して第三者からの着信待ちの状態を設定するように指示した後、ＲＡＭ６０から各代数Ｎ、Ｓを読み出し、各々に「０」を代入して再度、ＲＡＭ６０に記憶後、第三者からの着信待ちの状態を設定し処理を終了する。また、親機１のＣＰＵ２５は、子機５１から第三者からの着信待ちの状態を設定するように指示されると、第三者からの着信待ちの状態を設定し処理を終了する。
【００７３】
以上詳細に説明した通り、第４実施形態に係るＬモード対応ファクシミリ装置では、親機１のＣＰＵ２５は、子機５１のＣＰＵ６２から判定モードを設定するように指示された場合には（Ｓ３５：ＹＥＳ）、子機５１から受信したテスト通信用のデジタルデータをＲＡＭ１７に記憶後、この受信したテスト通信用のデジタルデータと予めＥＥＰＲＯＭ１８に記憶しているテスト通信用のデジタルデータとを比較して、エラー率が所定基準より大きい第１判定結果か、該所定基準以下の第２判定結果であるかを判定し、判定結果を子機５１に送信する。子機５１のＣＰＵ６２は、受信した判定結果が第１判定結果の場合には、所定回数まで親機１に対してテスト通信用デジタルデータの再送信を行い、また、親機１は、この受信したテスト通信用のデジタルデータのエラー率が所定基準以下か否かを判定して、子機５１に送信する。そして、子機５１は、この再送信回数に基づいて、親機１から受け取ったエラー率の判定結果、即ち子機５１から親機１へのデータ通信の環境の判定結果をユーザーに報知する（Ｓ４１〜Ｓ４７、Ｓ３８）。また続いて、子機５１のＣＰＵ６２は、親機１に対してテスト通信用のデジタルデータの送信を要求し、親機１から受信したこのテスト用通信デジタルデータと予めＥＥＰＲＯＭ６１に記憶しているテスト通信用デジタルデータとを比較して、エラー率が所定基準より大きい第３判定結果か、所定基準以下の第４判定結果であるかを判定し、この受信したデータの判定結果が第３判定結果の場合には、所定回数まで親機１に対してテスト通信用デジタルデータを送信するように要求し、再度、受信したテスト通信用デジタルデータのエラー率を判定する。そして、子機５１は、この要求回数に基づいて、親機１から受信したテスト通信用デジタルデータのエラー率の判定結果、即ち親機１から子機５１へのデータ通信の環境の判定結果をユーザーに報知する（Ｓ５１〜Ｓ５６、Ｓ３８）。
【００７４】
従って、ユーザーは、子機５１の表示器５２に表示される親機１と子機５１の相互間の通信環境の判定結果によって、障害物やフェージング等の影響を受ける子機５１と親機１の相互間の電話帳データ等のデータ転送に対する実際の通信品質を確認することができる。また、ユーザーは、子機５１の表示器５２に表示される親機１と子機５１の相互間の通信環境の判定結果によって、その子機５１と親機１の相互間の通信品質を確認しつつ通信環境のよい場所を予め探すことができると共に、通信品質がある程度よくても、多少の移動で通信環境が更によくなる場所を確実に確認することができる。また、家の間取り等によっては、親機１の配置位置を変更することができない場合でも、親機１の配置位置を変更せずに、子機５１を移動させながら実際の子機５１と親機１の相互間の通信品質を確認できるため、ユーザーは通信品質のよい場所を予め探すことができる。また、親機１と子機５１間の通信のため、公衆電話回線３０に接続する必要が無く、余分な通話料金を節約することができる。更に、子機５１から親機１に判定モードを設定するように指示した後、子機５１と親機１との相互間で自動的にテスト通信用デジタルデータを通信することによって、子機５１と親機１の相互間の通信品質を確認することができるため、親機１まで行って確認する必要が無く、煩雑な確認操作をなくすことができると共に、子機５１と親機１の相互間の通信品質も同時に確認することができる。
【００７５】
尚、本発明は前記第１実施形態乃至第４実施形態に限定されることはなく、本発明の要旨を逸脱しない範囲内で種々の改良、変形が可能であることは勿論である。例えば、以下のようにしてもよい。
（Ａ）前記第２実施形態では、親機１は所定時間に限り子機５１からの音声情報を録音するように構成したが、子機５１に親機１に対して録音停止を指示するための停止指示ボタンを設けるように構成してもよい。これにより、ユーザーは任意の長さの音声情報を親機１に録音させることができるようになる。
（Ｂ）前記第３実施形態及び第４実施形態では、親機１と子機５１と相互間に固定されたテスト用通信デジタルデータを通信したが、ランダムで発生させたデジタルデータにチェックサム等を付加して送信し、受信側ではチェックサムの検証によって通信品質の判定を行うように構成してもよい。これにより、各ＥＥＰＲＯＭ１８、６１の記憶容量を小型化することができる。
【００７６】
【発明の効果】
以上説明した通り請求項１に係る電話装置では、子機からの簡単な操作によって、親機は所定の音声情報を子機に対して擬似的に送信するため、ユーザーはその音声を耳で実際に聞きながら、場所を変えることにより、障害物やフェージング等の影響を受ける実際の通話品質を確認しつつ通話環境のよい場所を予め探すことができると共に、通話品質がある程度よくても、多少の移動で通話環境が更によくなる場所を確実に確認することができる電話装置を提供することができる。また、家の間取り等によっては、親機の配置位置を変更することができない場合でも、親機の配置位置を変更せずに、子機を移動させながら実際の通話品質を確認できるため、ユーザーは通話品質のよい場所を予め探すことができる電話装置を提供することができる。また、親機と子機間の通信のため、外線に接続する必要が無く、余分な通話料金を節約することができる電話装置を提供することができる。更に、子機から操作することによって、親機からの実際の通話品質を確認することができるため、親機まで行って確認する必要が無く、煩雑な確認操作をなくすことができる電話装置を提供することができる。
【００７７】
また、請求項２に係る電話装置では、親機は受信した音声情報を一度録音して、この録音した音声情報を再生して子機に送信するため、ユーザーはその音声を耳で実際に聞きながら、場所を変えることにより、障害物やフェージング等の影響を受ける実際の通話品質を確認しつつ通話環境のよい場所を予め探すことができると共に、通話品質がある程度よくても、多少の移動で通話環境が更によくなる場所を確実に確認することができる電話装置を提供することができる。また、家の間取り等によっては、親機の配置位置を変更することができない場合でも、親機の配置位置を変更せずに、子機を移動させながら実際の通話品質を確認できるため、ユーザーは通話品質のよい場所を予め探すことができる電話装置を提供することができる。また、親機と子機間の通信のため、外線に接続する必要が無く、余分な通話料金を節約することができる電話装置を提供することができる。更に、子機から擬似通話モードを設定するように指示した後、音声情報を親機に送信することによって、実際の通話品質を確認することができるため、親機まで行って確認する必要が無く、煩雑な確認操作をなくすことができると共に、子機から親機に対する通話品質も同時に確認することができる電話装置を提供することができる。
【００７８】
また、請求項３に係る電話装置では、請求項２に記載の電話装置において、前記親機は、前記子機から擬似通話モードを設定するように指示された場合には、該指示を受けてから予め設定された所定時間内に限り該子機から受信した音声情報を録音するため、親機の録音機能を小型化することができる電話装置を提供することができる。また、親機は、子機からの音声情報を所定時間内に限り録音するため、この録音した音声情報を迅速に再生して送信することが可能となり、ユーザーの速い移動に確実に追従して通話品質の確認を行うことができる電話装置を提供することができる。
【００７９】
また、請求項４に係る電話装置では、ユーザーは、子機により報知される第１比較結果によって、障害物やフェージング等の影響を受ける子機から親機への電話帳データ等のデータ転送に対する実際の通信品質を確認することができる電話装置を提供することができる。また、ユーザーは、子機により報知される第１比較結果によって、その子機から親機への通信品質を確認しつつ通信環境のよい場所を予め探すことができると共に、通信品質がある程度よくても、多少の移動で通信環境が更によくなる場所を確実に確認することができる電話装置を提供することができる。また、家の間取り等によっては、親機の配置位置を変更することができない場合でも、親機の配置位置を変更せずに、子機を移動させながら実際の子機から親機への通信品質を確認できるため、ユーザーは通信品質のよい場所を予め探すことができる電話装置を提供することができる。また、親機と子機間の通信のため、外線に接続する必要が無く、余分な通話料金を節約することができる電話装置を提供することができる。更に、子機から比較モードを設定するように指示した後、所定のテストデータを親機に送信することによって、実際の子機から親機への通信品質を確認することができるため、親機まで行って確認する必要が無く、煩雑な確認操作をなくすことができると共に、子機から親機に対する通信品質も同時に確認することができる電話装置を提供することができる。
【００８０】
また、請求項５に係る電話装置では、請求項４に記載の電話装置において、ユーザーは、子機により報知される第２比較結果によって、障害物やフェージング等の影響を受ける親機から子機への電話帳データ等のデータ転送に対する実際の通信品質を確認することができる電話装置を提供することができる。また、ユーザーは、子機により報知される第２比較結果によって、その親機から子機への通信品質を確認しつつ通信環境のよい場所を予め探すことができると共に、通信品質がある程度よくても、多少の移動で通信環境が更によくなる場所を確実に確認することができる電話装置を提供することができる。また、家の間取り等によっては、親機の配置位置を変更することができない場合でも、親機の配置位置を変更せずに、子機を移動させながら実際の親機から子機への通信品質を確認できるため、ユーザーは通信品質のよい場所を予め探すことができる電話装置を提供することができる。更に、親機から第１比較結果を送信後、所定のテストデータを子機に送信することによって、実際の親機から子機への通信品質を確認することができるため、親機まで行って確認する必要が無く、煩雑な確認操作をなくすことができると共に、親機から子機に対する通信品質も同時に確認することができる電話装置を提供することができる。
【００８１】
また、請求項６に係る電話装置では、ユーザーは、子機により報知される第１判定結果又は第２判定結果によって、障害物やフェージング等の影響を受ける子機から親機への電話帳データ等のデータ転送に対する実際の通信品質を確認することができる電話装置を提供することができる。また、ユーザーは、子機により報知される第１判定結果又は第２判定結果によって、その子機から親機への通信品質を確認しつつ通信環境のよい場所を予め探すことができると共に、通信品質がある程度よくても、多少の移動で通信環境が更によくなる場所を確実に確認することができる電話装置を提供することができる。また、家の間取り等によっては、親機の配置位置を変更することができない場合でも、親機の配置位置を変更せずに、子機を移動させながら実際の子機から親機への通信品質を確認できるため、ユーザーは通信品質のよい場所を予め探すことができる電話装置を提供することができる。また、親機と子機間の通信のため、外線に接続する必要が無く、余分な通話料金を節約することができる電話装置を提供することができる。更に、子機から判定モードを設定するように指示した後、所定のテストデータを親機に送信することによって、実際の子機から親機への通信品質を第１判定結果又は第２判定結果によって確認することができるため、親機まで行って確認する必要が無く、煩雑な確認操作をなくすことができると共に、子機から親機に対する通信品質も同時に確認することができる電話装置を提供することができる。
【００８２】
更に、請求項７に係る電話装置では、請求項６に記載の電話装置において、ユーザーは、子機により報知される第３判定結果又は第４判定結果によって、障害物やフェージング等の影響を受ける親機から子機への電話帳データ等のデータ転送に対する実際の通信品質を確認することができる電話装置を提供することができる。また、ユーザーは、子機により報知される第３判定結果又は第４判定結果によって、その親機から子機への通信品質を確認しつつ通信環境のよい場所を予め探すことができると共に、通信品質がある程度よくても、多少の移動で通信環境が更によくなる場所を確実に確認することができる電話装置を提供することができる。また、家の間取り等によっては、親機の配置位置を変更することができない場合でも、親機の配置位置を変更せずに、子機を移動させながら第３判定結果又は第４判定結果によって、実際の親機から子機への通信品質を確認できるため、ユーザーは通信品質のよい場所を予め探すことができる電話装置を提供することができる。更に、子機からの指示によって、親機から所定のテストデータが子機に送信されるため、親機まで行って確認する必要が無く、煩雑な確認操作をなくすことができると共に、親機から子機に対する実際の通信品質も同時に確認することができる電話装置を提供することができる。
【図面の簡単な説明】
【図１】第１実施形態に係るＬモード対応ファクシミリ装置の本体の外観を示す平面図である。
【図２】第１実施形態に係るＬモード対応ファクシミリ装置の子機の外観を示す正面図である。
【図３】第１実施形態に係るＬモード対応ファクシミリ装置の本体の要部の回路ブロック図である。
【図４】第１実施形態に係るＬモード対応ファクシミリ装置の子機の要部の回路ブロック図である。
【図５】第１実施形態に係るＬモード対応ファクシミリ装置の子機からの操作によって、本体としての親機を介した外部との通話品質の確認を行う検査処理を示すフローチャートである。
【図６】第２実施形態に係るＬモード対応ファクシミリ装置の子機からの操作によって、本体としての親機を介した外部との通話品質の確認を行う検査処理を示すフローチャートである。
【図７】第３実施形態に係るＬモード対応ファクシミリ装置の子機からの操作によって、本体としての親機との通信品質の確認を行う検査処理を示すフローチャートである。
【図８】第４実施形態に係るＬモード対応ファクシミリ装置の子機からの操作によって、本体としての親機との通信品質の確認を行う検査処理を示すメインフローチャートである。
【図９】第４実施形態に係るＬモード対応ファクシミリ装置の子機から親機に対する通信品質の確認を行う第１判定処理を示すサブフローチャートである。
【図１０】第４実施形態に係るＬモード対応ファクシミリ装置の親機から子機に対する通信品質の確認を行う第２判定処理を示すサブフローチャートである。
【符号の説明】
１                  本体
２、５２            表示器
３、５３            ボタン類
１３、５４          スピーカ
１６、５９          ＲＯＭ
１７、６０          ＲＡＭ
１８、６１          ＥＥＰＲＯＭ
１９                子機用ＲＦユニット
２５、６２          ＣＰＵ
５８                親機用ＲＦユニット
【図１】
0003951754.tif 000002
【図２】
0003951754.tif 000003
【図３】
0003951754.tif 000004
【図４】
0003951754.tif 000005
【図５】
0003951754.tif 000006
【図６】
0003951754.tif 000007
【図７】
0003951754.tif 000008
【図８】
0003951754.tif 000009
【図９】
0003951754.tif 000010
【図１０】
0003951754.tif 000011